(57)【要約】【課題】  トイレ室内において、任意の場所へトイレットペーパーホルダーを移動可能にしつつ、設置よる邪魔や転倒の虞がなく、しかも、トイレ室内においても情報の取得や送信が利用者にとって見やすい位置で行えるペーパーホルダー装置を提供すること。【解決手段】  トイレットペーパーを支持するペーパーホルダー部４１と、基部側がトイレ室の壁面Ｂに支持されると共に先部側がペーパーホルダー部４１に接続されペーパーホルダー部４１を所望の位置に移動可能に支持させる位置調整可能なアーム部１２とを備え、ペーパーホルダー部４１に、情報が表示される情報表示部４２と小物を載置させる小物収納部４１ａを設ける。【選択図】      図７
2005152249.tif 000002
【特許請求の範囲】
【請求項１】
トイレットペーパーを支持するペーパーホルダー部と、基部側がトイレ室の壁面に支持されると共に先部側が前記ペーパーホルダー部に接続され前記ペーパーホルダー部を所望の位置に移動可能に支持させる位置調整可能なアーム部と、を備えたことを特徴とするペーパーホルダー装置。
【請求項２】
前記アーム部に、適宜ヒンジ部が設けられると共に、前記ペーパーホルダー部と前記アーム部とが該ヒンジ部を介して接続されることを特徴とする請求項１に記載のペーパーホルダー装置。
【請求項３】
前記アーム部は、その先部と基部、および中途部に、夫々ヒンジ部が設けられ、前記先部は前記ヒンジ部を介して前記ペーパーホルダー部に接続されると共に、前記基部は前記ヒンジ部を介して前記壁面に支持されていることを特徴とする請求項１に記載のペーパーホルダー装置。
【請求項４】
前記ヒンジ部がヒンジボール機構であることを特徴とする請求項２又は請求項３に記載のペーパーホルダー装置。
【請求項５】
前記アーム部は、前記基部側が前記壁面から出没可能に前記壁面に支持されていることを特徴とする請求項１に記載のペーパーホルダー装置。
【請求項６】
前記ペーパーホルダー部は、小物を載置させる小物収納部を備えていることを特徴とする請求項１乃至請求項５のいずれかに記載のペーパーホルダー装置。
【請求項７】
前記ペーパーホルダー部は、情報が表示される情報表示部を備えていることを特徴とする請求項１乃至請求項６のいずれかに記載のペーパーホルダー装置。
【請求項８】
前記情報表示部は、通信網に接続可能な情報端末であることを特徴とする請求項７に記載のペーパーホルダー装置。
【発明の詳細な説明】
【技術分野】
【０００１】
本発明は、トイレットペーパーを支持するペーパーホルダー装置に関する。
【背景技術】
【０００２】
従来より、トイレットペーパーを支持するペーパーホルダーは、トイレ使用時において、画設されたトイレ室の壁面等、手の届く範囲内の所望の位置に固定支持されている。
【０００３】
もっともこの「手の届く範囲」とは、幼児以外の健常者、すなわち、ある程度、身体的に満足した人を基準としており、その基準から外れた人は、トイレ使用時に甚だ不都合を生じさせる。
【０００４】
そこで、任意の場所へ移動可能なトイレットペーパーホルダーが提案されている。
【０００５】
このトイレットペーパーホルダーは、ペーパーホルダー本体と、その本体を接続した脚部とで構成されており、言わばスタンドタイプのペーパーホルダーとなっている（例えば、特許文献１参照）。
【特許文献１】特開２００３−９３２６８（第２頁、図１）
【発明の開示】
【発明が解決しようとする課題】
【０００６】
しかしながら、このスタンドタイプのペーパーホルダーは、トイレ室内にかかわらず、任意の場所への移動は可能であるものの、トイレ室においての使用は、必ずしも利便性に富んだものとは言えない。
【０００７】
すなわち、壁で画設された閉鎖空間であるトイレ室は、ごく限られたスペースとなっていることから、スタンドタイプのペーパーホルダーでは、便座に着座するときや、車椅子などでトイレ室に入るとき等の際、邪魔になったり、あるいはトイレ急用時に誤って転倒させてしまい、場合によって怪我を負わせてしまう場合も考えられる。
【０００８】
このことは、トイレ使用者が身障者である場合、特に顕著であり、したがって、病院や福祉施設などでは、この種のスタンドタイプのペーパーホルダーは採用しずらい。
【０００９】
もっとも、床面からペーパーホルダーが立設されていることから圧迫感があり、精神衛生上から見ても、決して好ましいとは言えない。
【００１０】
また、一般家庭のトイレ室は、幼児の排泄訓練が行われ場合があるが、当然のことながら、幼児では、壁面にペーパーホルダーを介して支持されたトイレットペーパーまで手が届かない。そこで、その訓練を見守っている親等が、適当な長さにまとめたトイレットペーパーを幼児に渡したりしているが、そのトイレットペーパーをまとめる行為も幼児自ら行わせた方が排泄訓練としては好ましい。
【００１１】
そこで、仮に、上記したスタンドタイプのペーパーホルダーを利用したとしても、幼児の排泄訓練時は良いとしても、不使用時に結局邪魔となる。
【００１２】
ところで、病院や福祉施設、あるいはホテルなどの施設では、利用者に様々な情報を報知しているが、その大半は、マイクを通じて放送したり、あるいはロビーなどに設置された大型モニターを通じて報知している。これら公共施設のトイレ室内にも前者による放送（アナウンス）を流すサービスはあるものの、トイレ室の各個室内にはその情報が伝達されにくい。
【００１３】
さらに、ビジネスマンが多く利用するホテルなどでは、トイレ室内においても、通信網を介して、情報の取得や送信などが行えれば利用者にとって極めて便利である。
【００１４】
しかも、様々な利用者に対応して、上記したような「手の届く範囲」に、これら情報が表示されたり、情報の取得、送信などが行えれば、極めて利便性の高い。
【００１５】
そこで、本発明は、トイレ室内において、任意の場所へトイレットペーパーホルダーを移動可能にしつつ、設置よる邪魔や転倒の虞のないペーパーホルダー装置を提供することを目的とし、更に、他に目的とするところは、前記した目的に加え、トイレ室内においても情報の取得や送信が利用者にとって見やすい位置で行えるペーパーホルダー装置を提供することを目的とする。
【課題を解決するための手段】
【００１６】
上記課題を達成するために、本発明にかかるペーパーホルダー装置は、下記の技術的手段を講じた。
【００１７】
すなわち、請求項１にかかるペーパーホルダー装置は、トイレットペーパーを支持するペーパーホルダー部と、基部側がトイレ室の壁面に支持されると共に先部側が前記ペーパーホルダー部に接続され前記ペーパーホルダー部を所望の位置に移動可能に支持させる位置調整可能なアーム部と、を備えたことを特徴とする。
【００１８】
請求項２にかかるペーパーホルダー装置は、請求項１において、前記アーム部に、適宜ヒンジ部が設けられると共に、前記ペーパーホルダー部と前記アーム部とが該ヒンジ部を介して接続されることを特徴とする。
【００１９】
請求項３にかかるペーパーホルダー装置は、請求項１において、前記アーム部は、その先部と基部、および中途部に、夫々ヒンジ部が設けられ、前記先部は前記ヒンジ部を介して前記ペーパーホルダー部に接続されると共に、前記基部は前記ヒンジ部を介して前記壁面に支持されていることを特徴とする。
【００２０】
請求項４にかかるペーパーホルダー装置は、請求項２又は請求項３において、前記ヒンジ部がヒンジボール機構であることを特徴とする。
【００２１】
請求項５にかかるペーパーホルダー装置は、請求項１において、前記アーム部は、前記基部側が前記壁面から出没可能に前記壁面に支持されていることを特徴とする。
【００２２】
請求項６にかかるペーパーホルダー装置は、請求項１乃至請求項５のいずれか１項において、前記ペーパーホルダー部は、小物を載置させる小物収納部を備えていることを特徴とする。
【００２３】
請求項７にかかるペーパーホルダー装置は、請求項１乃至請求項６のいずれか１項において、前記ペーパーホルダー部は、情報が表示される情報表示部を備えていることを特徴とする。
【００２４】
請求項８にかかるペーパーホルダー装置は、請求項７において、前記情報表示部は、通信網に接続可能な情報端末であることを特徴とする。
【発明の効果】
【００２５】
請求項１によれば、トイレットペーパーを支持するペーパーホルダー部を、壁面に支持された位置調整可能なアーム部を介して接続したことで、トイレ室内において、邪魔になったり、転倒等の虞がなく、さらに圧迫感も無く、所望の任意の場所へトイレットペーパーホルダー部を移動することができる。
【００２６】
また、幼児の排泄訓練に用いた場合、幼児自らがトイレットペーパーをまとめる作業を行うことが可能となるうえ、不使用時には壁面側にペーパーホルダー部を移動させることができるので、一般家庭における幼児の排泄訓練用にも対応できる極めて好適なペーパーホルダー装置を提供できる。
【００２７】
請求項２および請求項３によれば、アーム部にヒンジ部を設けて、その基部を壁面に支持させる構成にしたから、当該ペーパーホルダー装置を、既設のトイレ室内に、何ら特別な工事を行うことなく、容易に設置することができる。また、請求項４によれば、ヒンジ部をヒンジボール機構としたので、ヒンジ部での回動の自由度が大きくなって、広範な空間内の任意の位置にペーパーホルダー部を移動することができる。
【００２８】
請求項５によれば、アーム部の基部側を壁面から出没可能に、壁面に支持したことにより、ペーパーホルダーを壁面に設けたとする従来の設置状態と何ら変わらない状態から、ペーパーホルダー部を引き延ばして所望の位置へ移動させることができる。したがって、位置調整が必要なときだけペーパーホルダー部を移動すれば良く、トイレ室のスペースを有効に活用することができる。
【００２９】
請求項６によれば、ペーパーホルダー部に、小物を載置させる小物収納部を備えたことにより、トイレ使用時において、医療用品や、医薬、生理用品などが手元に載置することができ、したがって、トイレ利用者の利便性を向上させることができる。
【００３０】
請求項７及び請求項８によれば、テレビ（液晶）やＬＥＤを用いた電子看板など、情報が表示される情報表示部を備えたことにより、トイレ室内においても、テレビ番組や地図、カレンダー、施設のインフォメーションなどの、各種の情報が見やすい位置で容易に取得できる。特に、前記した情報表示部を、通信網に接続可能な情報端末に限定することにより、利用者にとって見やすい位置で情報の取得に加え、情報の送信（例えば電子メール）を行うことができる。
【発明を実施するための最良の形態】
【００３１】
次に、本実施の形態にかかるペーパーホルダー装置を、図面を参照しながら説明する。
（実施の形態１）
実施の形態１にかかるペーパーホルダー装置は、図１及び図２に示すように、ペーパーホルダー部１１と、アーム部１２とを備えてなる。
【００３２】
ペーパーホルダー部１１は、平面視略コ字状に形成されると共にその外側中央部に凸部１１ａが形成されたフレーム１１ｂと、そのフレーム１１ｂ内に着脱可能に架設されトイレットペーパーＷの連通孔ｗ１に挿通される芯杆１１ｃと、トイレットペーパーＷの上方から該トイレットペーパーＷを押えて適度な引っ張り抵抗力を付与すると共にトイレットペーパーＷの切断をするカバー１１ｅとを備え、トイレットペーパーＷを着脱可能に支持するようになっている。
【００３３】
また、この凸部１１ａ内には、軸長手方向にセレーション状の凹凸溝（図示せず）が形成された第１支持軸１３が挿通されるように、該凹凸溝と対偶する溝（図示せず）が長手方向に亘って形成された第１支持孔１１ｄが形成されている。
【００３４】
アーム部１２は、第１構成杆１２１と、第２構成杆１２２と、取付ブラケット１２３とを備えて構成される。
【００３５】
第１構成杆１２１は、所要長さの構成杆の先部に第１凹部１２ａが形成され、その第１凹部１２ａ内に上記した第１支持軸１３が架設されて、第１構成杆１２１とペーパーホルダー部１１とが所望の角度に上下方向に折り曲げ固定可能に枢着されている。
【００３６】
また、第１構成杆１２１の基部内には、凸部１１ａと同様に、軸長手方向にセレーション（図示せず）が形成された第２支持軸１４が挿通されるように、該セレーションと対偶する溝（図示せず）が長手方向に亘って形成された第２支持孔１２ｂが形成されている。
【００３７】
第２構成杆１２２は、所要長さの構成杆の先部に第２凹部１２ｃが形成され、その第２凹部１２ｃ内に上記した第１支持軸１３と同一構成の第２支持軸１４が架設されて、第１構成杆１２１と第２構成杆１２２とが所望の角度に上下方向に折り曲げ固定可能に枢着されている。
【００３８】
また、第２構成杆１２２の基部内には、第２構成杆１２２の基部と同様に、軸長手方向にセレーション（図示せず）が形成された第３支持軸１５が挿通されるように、該セレーションと対偶する溝（図示せず）が長手方向に亘って形成された第３支持孔１２ｄが形成されている。
【００３９】
取付ブラケット１２３は、第３凹部１２ｅが突設された板状に形成され、その第３凹部１２ｅ内に上記した第３支持軸１５が架設されて、取付ブラケット１２３に対して第２構成杆１２２が所望の角度に上下方向に折り曲げ固定可能に枢着されている。
【００４０】
このように、凸部１１ａと第１凹部１２ａ、第１構成杆１２１の基部と第２凹部１２ｃ、第２構成杆１２２の基部と第３凹部１２ｅ、の夫々が、第１〜３支持軸１３，１３，１５を備えてヒンジ部Ａが構成され、トイレットペーパーＷを支持するペーパーホルダー部１１が、このヒンジ部Ａを設けたアーム部１２に位置調整可能に接続されている。
【００４１】
以上のように構成された実施の形態１にかかるペーパーホルダー装置は、トイレ室の天井や側壁面Ｂの所望の位置に、前記した取付ブラケット１２３を介して螺着する。
【００４２】
このようにして、トイレ内に取付けられた実施の形態１にかかるペーパーホルダー装置は、トイレ使用時において、トイレ利用者または介護者などが、トイレ利用者の利用しやすい所望の位置までペーパーホルダー部１１を引き寄せて使用に供される。
【００４３】
（実施の形態２）
次に実施の形態２にかかるペーパーホルダー装置を説明する。
【００４４】
実施の形態２にかかるペーパーホルダー装置は、図３及び図４に示すように、ペーパーホルダー部２１と、アーム部２２とを備えてなる。
【００４５】
ペーパーホルダー部２１は、平面視略コ字状に形成されると共にその外側中央部にヒンジボール機構２１ａが形成されたフレーム２１ｂと、そのフレーム２１ｂ内に着脱可能に架設されトイレットペーパーＷの連通孔ｗ１に挿通される芯杆２１ｃと、トイレットペーパーＷの上方から該トイレットペーパーＷを押えて適度な引っ張り抵抗力を付与すると共にトイレットペーパーＷの切断をするカバー１１ｅとを備え、トイレットペーパーＷを着脱可能に支持するようになっている。
【００４６】
また、このヒンジボール機構２１ａには、アーム部２２の第１構成杆２２１の先端の第1ヒンジボール２２１ａを受け入れる球状軸受けブロックが形成されており、これに第1ヒンジボール２２１ａを圧入するなどの方法で第１構成杆２２１が回転自在に結合され、ペーパーホルダー部２１と第１構成杆２２１とが所望の方向に所望の角度で固定可能に枢着されている。
【００４７】
アーム部２２は、第１構成杆２２１と、第２構成杆２２２と、継ぎ手部２２ａと、支持ヒンジ部２２ｂと、取付ブラケット２２３とを備えて構成される。
【００４８】
第１構成杆２２１は、所要長さの構成杆の先端に第１ヒンジボール２２１ａが形成され、後端に第２ヒンジボール２２１ｂが形成されている。第２ヒンジボール２２１ｂは、継ぎ手部２２ａの一方の球状軸受けブロックに圧入されて、回転自在に結合されている。同様に、継ぎ手部２２ａの他方の球状軸受けブロックには第２構成杆２２２の第１ヒンジボール２２２ａが圧入されて、回転自在に結合されている。これにより、第１構成杆２２１および第２構成杆２２２は、それぞれ独立に、継ぎ手部２２ａに対して所望の方向に所望の角度で固定可能に枢着される。
【００４９】
第２構成杆２２２は、第１構成杆２２１と同様に、所要長さの構成杆の先端に第１ヒンジボール２２２ａが形成され、後端に第２ヒンジボール２２２ｂが形成されている。第２ヒンジボール２２２ｂは、取付ブラケット２２３に取り付けられている支持ヒンジ部２２ｂの球状軸受けブロックに圧入などの方法で回転自在に結合されている。
【００５０】
取付ブラケット２２３は、支持ヒンジ部２２ｂが突設された板状に形成され、その支持ヒンジ部２２ｂに第２構成杆２２２が回動自在に支持されているので、取付ブラケット２２３に対して第２構成杆２２２は所望の方向に所望の角度で固定可能に位置することになる。
【００５１】
このように、取付ブラケット２２３の支持ヒンジ部２２ｂに対して第２構成杆２２２が所望の方向に固定可能であり、この第２構成杆２２２に対して継ぎ手部２２ａがやはり所望の方向に固定可能になっており、さらに、この継ぎ手部２２ａに対して第１構成杆２２１が、第１構成杆２２１に対してペーパーホルダー部２１がそれぞれ所望の方向に固定可能になっている。したがって、最終的にペーパーホルダー部２１は取付ブラケット２２３を基点とする所定の広がりを有する空間内の任意の位置に固定することが可能になる。
【００５２】
以上のように構成された実施の形態２にかかるペーパーホルダー装置は、トイレ室の天井や側壁面Ｂの所望の位置に、前記した取付ブラケット１２３を介して螺着することで、トイレ使用時において、トイレ利用者または介護者などが、トイレ利用者の利用しやすい任意の所望の位置までペーパーホルダー部２１を引き寄せて使用に供することができる。なお、ヒンジ部の数をさらに増やすことも可能であり、ヒンジ部にばね押さえを設けてヒンジ部の回転摩擦係数を増やして、ヒンジ部の緩みによるペーパーホルダー部２１の位置の変動を抑えることができる。
（実施の形態３）
次に実施の形態３にかかるペーパーホルダー装置を説明する。
【００５３】
実施の形態３にかかるペーパーホルダー装置は、図５及び図６に示すように、ペーパーホルダー部３１を所望の位置まで真っ直ぐに引き寄せ可能にした例であり、ペーパーホルダー部３１と、アーム部３２と、ガイド部３３と、を備えて構成される。
【００５４】
ペーパーホルダー部３１は、平面視略コ字状に形成されフレーム３１ａと、そのフレーム３１ａ内に着脱可能に架設されトイレットペーパーＷの連通孔ｗ１に挿通される芯杆１１ｃと、トイレットペーパーＷの上方から該トイレットペーパーＷを押えて適度な引っ張り抵抗力を付与すると共にトイレットペーパーＷの切断をするカバー１１ｅとを備え、トイレットペーパーＷを着脱可能に支持するようになっている。
【００５５】
アーム部３２は、ペーパーホルダー部３１の外側中央部から真っ直ぐに延出した断面矩形状の構成杆３２ａで、その基部には、構成杆３２ａの長手方向と直交する上方向へストッパピン３２ｂが突設されている。なお、上記したストッパピン３２ｂは、後述する長孔３３ｃに係合されて、構成杆３２ａの廻り止めの作用も有するため、構成杆３２ａの断面形状は円形（丸棒）でも良い。
【００５６】
ガイド部３３は、上記した構成杆３２ａとスライド可能に係合された筒部３３ａと、その筒部３３ａ先端から板状に延出した取付部３３ｂとを備えて構成され、さらに前記した筒部３３ａには、ストッパピン３２ｂと係合された長孔３３ｃが、その長手方向に所要長さに亘って形成されている。
【００５７】
以上のように構成された実施の形態３にかかるペーパーホルダー装置は、トイレ室の側壁面Ｂの所望の位置に取付孔ｂ１を設け、その取付孔ｂ１に筒部３３ａを挿入すると共に前記した取付部３３ｂを取付孔ｂ１周囲の側壁面Ｂに螺着する。
【００５８】
このようにして、トイレ内に取付けられた実施の形態３にかかるペーパーホルダー装置は、トイレ使用時において、トイレ利用者または介護者などが、トイレ利用者の利用しやすい所望の位置までペーパーホルダー部３１を引き寄せて使用に供される。
（実施の形態４）
実施の形態４にかかるペーパーホルダー装置は、実施の形態１乃至３で例示したペーパーホルダー部１１、２１、３１に、小物を載置させる小物収納部４１ａと、情報が表示される情報表示部４２とを設けた例であり、図７に示したように、アーム部１２は、実施の形態１で例示したものと同一であるため、同一符号を付して詳細な説明は省略する。なお、このアーム部１２は、実施の形態２又は３で例示したタイプで構成しても差し支えない。
【００５９】
実施の形態４にかかるペーパーホルダー部４１は、テレビ（液晶）やＬＥＤを用いた電子看板、コンピュータ等の通信網に接続可能な情報端末等の情報表示部４２と、その情報表示部４２を内装させる情報表示部収納部４１ｂと小物収納部４１ａとを備え、平面視略コ字状に形成されると共にその外側中央部にアーム部１２と係合された凸部４１ｃが形成されたフレーム４１ｄとを備えてなる。
【００６０】
また、このフレーム４１ｄ内には着脱可能に架設されトイレットペーパーＷの連通孔（図示せず）に挿通される芯杆（図示せず）と、トイレットペーパーＷの上方から該トイレットペーパーＷを押えて適度な引っ張り抵抗力を付与すると共にトイレットペーパーＷの切断をするカバー１１ｅとを備え、トイレットペーパーＷを着脱可能に支持する支持部４１ｅを挟んで、図において左側に、小物収納部４１ａが形設されると共に、図において右側に、コンピュータ等の通信網に接続可能な情報端末等の情報表示部４２が内装されるように情報表示部収納部４１ｂが形設され、この情報表示部収納部４１ｂに情報表示部４２が内装されている。
【００６１】
以上のように構成された実施の形態４にかかるペーパーホルダー装置は、実施の形態１と同様に、トイレ室の天井や側壁面Ｂの所望の位置に、前記した取付ブラケット１２３を介して螺着する。
【００６２】
このようにして、トイレ内に取付けられた実施の形態４にかかるペーパーホルダー装置は、トイレ使用時において、トイレ利用者または介護者などがトイレ、利用者の利用しやすい所望の位置までペーパーホルダー部４１を引き寄せて使用に供されると共に、必要に応じて小物収納部４１ａに、鏡、新聞雑誌用ステー、黒板、書見台、黒板などを設けたり、医療用品や、医薬品、生理用品、爪きり、メモ用紙、ティッシュ、子宮ガンテスタなどを載置させたりすることができ、情報表示部４２によって、トイレ室内においても、テレビ番組や地図、カレンダー、施設のインフォメーションなどの、各種の情報が見やすい位置で容易に取得できる。さらに、ＢＧＭを流したり、せせらぎ音を聞かせたり、携帯端末の充電器を設けたりすることもできる。
【００６３】
以上、本実施形態にかかるペーパーホルダー装置を説明したが、上述した各実施の形態は本発明の好適な実施形態であり、本発明の要旨を逸脱しない範囲内において種々変形して実施することが可能である。例えば、第１及び第２の実施の形態において、ヒンジ部Ａに、下向き方向にロックがかかるラチェット機構（押しボタン操作によりロック解除するように構成）を内装させて構成したり、第３実施の形態において、アーム部を往復動可能なラチェット機構を設けても良い。
【００６４】
さらに、第４の実施の形態において、図８に示すように、情報表示部３２を後付け可能なように、取付ステー部４１ｇを延出させたフレーム４１ｆに形設しても良い。また、情報表示部を後付け可能な他の態様として、アーム部の基部または中途部から第２のアーム部を突設させて、その第２のアーム部に情報表示部を取りつけるように構成しても良い。
【図面の簡単な説明】
【００６５】
【図１】第１の実施の形態にかかるペーパーホルダー装置の斜視図である。
【図２】第１の実施の形態にかかるペーパーホルダー装置の縦断面図である。
【図３】第２の実施の形態にかかるペーパーホルダー装置の斜視図である。
【図４】第２の実施の形態にかかるペーパーホルダー装置の縦断面図である。
【図５】第３の実施の形態にかかるペーパーホルダー装置の斜視図である。
【図６】第３の実施の形態にかかるペーパーホルダー装置の縦断面図である。
【図７】第４の実施の形態にかかるペーパーホルダー装置の斜視図である。
【図８】第４の実施の形態にかかるペーパーホルダー装置の他の態様の斜視図である。
【符号の説明】
【００６６】
１１、２１，３１，４１  ペーパーホルダー部
１１ａ，４１ｃ  凸部
１１ｂ，２１ｂ，３１ａ，４１ｄ，４１ｆ  フレーム
１１ｃ、２１ｃ  芯杆
１１ｄ  第１支持孔
１１ｅ  カバー
１２、２２，３２  アーム部
１２１、２２１  第１構成杆
１２２、２２２  第２構成杆
１２３、２２３  取付ブラケット
１２ａ  第１凹部
１２ｂ  第２支持孔
１２ｃ  第２凹部
１２ｄ  第３支持孔１３  第１支持軸
１４  第２支持軸
１５  第３支持軸
２１a  ヒンジボール機構
２２１ａ、２２２ａ  第1ヒンジボール
２２１ｂ，２２２ｂ  第２ヒンジボール
２２ａ  継ぎ手部
２２ｂ  支持ヒンジ部
３３  ガイド部
３２ａ  構成杆
３２ｂ  ストッパピン
３３ａ  筒部
３３ｂ  取付部
３３ｃ  長孔
４２  情報表示部  
４１ａ  小物収納部
４１ｂ  情報表示部収納部
４１ｅ  支持部
４１ｇ  取付ステー部
Ａ  ヒンジ部
Ｂ  側壁面
ｂ１  取付孔
Ｗ  トイレットペーパー
ｗ１  連通孔
【図１】
2005152249.tif 000003
【図２】
2005152249.tif 000004
【図３】
2005152249.tif 000005
【図４】
2005152249.tif 000006
【図５】
2005152249.tif 000007
【図６】
2005152249.tif 000008
【図７】
2005152249.tif 000009
【図８】
2005152249.tif 000010